(57)【要約】      （修正有）【課題】収納自動化のテーブルクロスを提供する。【解決手段】収納自動化のテーブルクロスは、伸縮可能の伸縮テーブルクロス１１と、空気詰め箱１２とを含み、前記伸縮テーブルクロスは前記空気詰め箱に固定的に連結され、前記伸縮テーブルクロスと前記空気詰め箱との間には空気詰めチャンバ１０が設置され、前記空気詰め箱の中には制御チャンバ１３が設置され、前記制御チャンバの中には制御装置が設置され、前記制御装置は手動制御機構と押し機構とを含み、使用する時、気体が空気詰めパイプ３４を経由して空気詰めチャンバの中に入って伸縮テーブルクロスを膨らませる。収納する時カバー板２３を開き、空気抜きパイプ２７を開けて空気を抜き、スライドブロック２１を押して復帰させ、収納を完了する。【選択図】図１
2020171658.tif 000002
【特許請求の範囲】
【請求項１】
伸縮可能の伸縮テーブルクロスと、空気詰め箱とを含み、前記伸縮テーブルクロスは前記空気詰め箱に固定的に連結され、前記伸縮テーブルクロスと前記空気詰め箱との間には空気詰めチャンバが設置され、前記空気詰め箱の中には制御チャンバが設置され、前記制御チャンバの中には制御装置が設置され、前記制御装置は手動制御機構と、押し機構とを含み、前記制御チャンバによって前記押し機構を押して連動させて反応材料を押すことができ、前記制御チャンバの中には反応装置が設置され、前記反応装置の中には装填機構と、空気詰め機構とを含み、前記装填機構は前記制御チャンバの後壁に固定的に設置された二組の空箱を含み、前記空箱の中には空チャンバが設置され、前記空チャンバの中には反応材料が配置され、前記空チャンバの後壁の中にはバルブが設置され、前記空チャンバの底壁には連通し合った連通パイプが固定的に設置され、前記連通パイプの下端には押し箱が固定的に設置され、前記押し箱の中には前記連通パイプと連通した押しチャンバが設置され、前記押しチャンバのうち互いに離れた内壁の中には押しロッドがスライド可能に設置され、前記押しチャンバの中には前記押しロッドの対向した端に固定的に連結された押し板が設置され、前記押し板と前記押しチャンバの内壁との間が第二ばねにより固定的に連結され、
前記空気詰め機構は空気詰めパイプと、反応箱とを含み、前記反応箱が前記押し箱の対向した端の間に設置され、前記反応箱の中には前記押しチャンバと連通した反応チャンバが設置され、前記空気詰めパイプの中には逆止弁が固定的に設置され、前記空気詰めパイプと前記反応チャンバとが連通しており、且つ前記空気詰めパイプの一端が前記空気詰めチャンバの中に伸びており、前記空気詰め箱には空気抜き装置が設置されていることを特徴とする収納自動化のテーブルクロス。
【請求項２】
有益的には、前記制御装置は前記手動制御機構と、前記押し機構とを含み、前記手動制御機構は前記制御チャンバの頂壁にスライド可能に設置された第一連結ロッドを含み、前記第一連結ロッドが上に前記空気詰め箱の上側まで伸びており、前記第一連結ロッドの上端には押圧板が固定的に設置され、前記第一連結ロッドの下端には連結板が固定的に設置され、前記連結板の下端には第二連結ロッドが固定的に設置され、
前記押し機構は前記制御チャンバの後壁に設置された上スライド溝を含み、前記上スライド溝の中には上スライドブロックがスライド可能に設置され、前記第二連結ロッドの下端と前記上スライドブロックとが固定的に連結され、前記上スライドブロックの下端面と前記上スライド溝の底壁との間が第一ばねにより固定的に連結され、前記制御チャンバの後壁には下スライド溝が設置され、前記下スライド溝の中には下スライドブロックがスライド可能に設置され、前記下スライドブロックと前記上スライドブロックとの間にはヒンジ連結ロッドがヒンジで連結され、前記押しロッドのうち互いに離れた一端が前記下スライドブロックの対向した端面に固定的に連結されていることを特徴とする請求項１に記載の収納自動化のテーブルクロス。
【請求項３】
前記空気抜き装置は前記制御チャンバの頂壁に固定的に設置された空気抜きパイプを含み、前記空気抜きパイプと前記空気詰めチャンバが連通しており且つ前記空気抜きパイプが上に開口しており、前記空気抜きパイプの中には空気抜き板がスライド可能に設置され、前記空気抜き板の左端が前記制御チャンバの中に伸びており、前記制御チャンバの中には前記空気抜き板の左端に固定的に連結された連動ロッドが設置され、前記空気詰め箱の上端面にはスライド溝が設置され、前記スライド溝の中にはスライドブロックがスライド可能に設置され、前記連動ロッドの上端と前記スライドブロックの下端面とが固定的に連結され、前記スライドブロックの上端面には押しブロックが固定的に設置され、前記スライドブロックと前記スライド溝の左側内壁との間が第三ばねにより固定的に連結され、前記空気詰め箱の上端面には誤操作防止機構が設置され、
前記誤操作防止機構は前記空気詰め箱の上端面に固定的に設置された固定ブロックを含み、前記固定ブロックにはカバー板がヒンジで連結され、前記空気詰め箱の上端面にはカバー板溝が設置され、前記カバー板の下端が前記カバー板溝の中に挿入されていることを特徴とする請求項１に記載の収納自動化のテーブルクロス。
【発明の詳細な説明】
【技術分野】
【０００１】
本発明はテーブルクロス技術分野に関し、具体的には収納自動化のテーブルクロスである。
【背景技術】
【０００２】
ピクニックする時、地面に凹凸があったり埃が多かったりすることで、一般的には地面にテーブルクロスを敷く。伝統的なテーブルクロスは布地から作られ、材質がより薄いため、硬い地面に敷いても座り心地が悪く、また、使用後の収納も手数がかかる。上記の問題をめぐって本装置を提供する。
【先行技術文献】
【特許文献】
【０００３】
【特許文献１】中国特許出願公開第１０７５８１８４８号明細書
【発明の概要】
【発明が解決しようとする課題】
【０００４】
本発明の目的は収納自動化のテーブルクロスを提供し、既存の技術にある上記の欠陥を補うことにある。
【課題を解決するための手段】
【０００５】
本発明の収納自動化のテーブルクロスは、伸縮可能の伸縮テーブルクロスと、空気詰め箱とを含み、前記伸縮テーブルクロスは前記空気詰め箱に固定的に連結され、前記伸縮テーブルクロスと前記空気詰め箱との間には空気詰めチャンバが設置され、前記空気詰め箱の中には制御チャンバが設置され、前記制御チャンバの中には制御装置が設置され、前記制御装置は手動制御機構と、押し機構とを含み、前記制御チャンバによって前記押し機構を押して連動させて反応材料を押すことができ、前記制御チャンバの中には反応装置が設置され、前記反応装置の中には装填機構と、空気詰め機構とを含み、前記装填機構は前記制御チャンバの後壁に固定的に設置された二組の空箱を含み、前記空箱の中には空チャンバが設置され、前記空チャンバの中には反応材料が配置され、前記空チャンバの後壁の中にはバルブが設置され、前記空チャンバの底壁には連通し合った連通パイプが固定的に設置され、前記連通パイプの下端には押し箱が固定的に設置され、前記押し箱の中には前記連通パイプと連通した押しチャンバが設置され、前記押しチャンバのうち互いに離れた内壁の中には押しロッドがスライド可能に設置され、前記押しチャンバの中には前記押しロッドの対向した端に固定的に連結された押し板が設置され、前記押し板と前記押しチャンバの内壁との間が第二ばねにより固定的に連結され、
前記空気詰め機構は空気詰めパイプと、反応箱とを含み、前記反応箱が前記押し箱の対向した端の間に設置され、前記反応箱の中には前記押しチャンバと連通した反応チャンバが設置され、前記空気詰めパイプの中には逆止弁が固定的に設置され、前記空気詰めパイプと前記反応チャンバとが連通しており、且つ前記空気詰めパイプの一端が前記空気詰めチャンバの中に伸びており、前記空気詰め箱には空気抜き装置が設置されている。
【０００６】
更の技術プランとして、前記制御装置は前記手動制御機構と、前記押し機構とを含み、前記手動制御機構は前記制御チャンバの頂壁にスライド可能に設置された第一連結ロッドを含み、前記第一連結ロッドが上に前記空気詰め箱の上側まで伸びており、前記第一連結ロッドの上端には押圧板が固定的に設置され、前記第一連結ロッドの下端には連結板が固定的に設置され、前記連結板の下端には第二連結ロッドが固定的に設置されている。
【０００７】
優先的には、前記押し機構は前記制御チャンバの後壁に設置された上スライド溝を含み、前記上スライド溝の中には上スライドブロックがスライド可能に設置され、前記第二連結ロッドの下端と前記上スライドブロックとが固定的に連結され、前記上スライドブロックの下端面と前記上スライド溝の底壁との間が第一ばねにより固定的に連結され、前記制御チャンバの後壁には下スライド溝が設置され、前記下スライド溝の中には下スライドブロックがスライド可能に設置され、前記下スライドブロックと前記上スライドブロックとの間にはヒンジ連結ロッドがヒンジで連結され、前記押しロッドのうち互いに離れた一端が前記下スライドブロックの対向した端面に固定的に連結されている。
【０００８】
優先的には、前記空気抜き装置は前記制御チャンバの頂壁に固定的に設置された空気抜きパイプを含み、前記空気抜きパイプと前記空気詰めチャンバが連通しており且つ前記空気抜きパイプが上に開口しており、前記空気抜きパイプの中には空気抜き板がスライド可能に設置され、前記空気抜き板の左端が前記制御チャンバの中に伸びており、前記制御チャンバの中には前記空気抜き板の左端に固定的に連結された連動ロッドが設置され、前記空気詰め箱の上端面にはスライド溝が設置され、前記スライド溝の中にはスライドブロックがスライド可能に設置され、前記連動ロッドの上端と前記スライドブロックの下端面とが固定的に連結され、前記スライドブロックの上端面には押しブロックが固定的に設置され、前記スライドブロックと前記スライド溝の左側内壁との間が第三ばねにより固定的に連結され、前記空気詰め箱の上端面には誤操作防止機構が設置されている。
【０００９】
優先的には、前記誤操作防止機構は前記空気詰め箱の上端面に固定的に設置された固定ブロックを含み、前記固定ブロックにはカバー板がヒンジで連結され、前記空気詰め箱の上端面にはカバー板溝が設置され、前記カバー板の下端が前記カバー板溝の中に挿入されている。
【発明の効果】
【００１０】
上記により、本装置は機構が簡単で、使用が便利で、使用する時、本装置は自動的に空気を詰めて開けられ、ピクニックの支度時間を大きく節約し、また伝統的なテーブルクロスより座り心地がよく、使用後に、空気抜きで自動的に収納でき、便利かつ迅速であり、使用者の手間を省く。
【図面の簡単な説明】
【００１１】
下記に図１〜４をあわせて本発明について詳しく説明し、便利に説明するために、下記の方向を以下のように規定する：以下に述べる上下左右前後の方向と図１の自身投影関係の上下左右前後の方向とが一致である。
【００１２】
【図１】図１は本発明の全体構造略図
【図２】図２は図１におけるＡ―Ａの構造略図
【図３】図３は図１におけるＢ―Ｂの構造略図
【図４】図４は図１におけるＣ―Ｃの構造略図
【発明を実施するための形態】
【００１３】
下記に図１〜４をあわせて本発明について詳しく説明し、便利に説明するために、下記の方向を以下のように規定する：以下に述べる上下左右前後の方向と図１の自身投影関係の上下左右前後の方向とが一致である。
【００１４】
図１〜４の示すように、本発明装置の収納自動化のテーブルクロスは、伸縮可能の伸縮テーブルクロス１１と、空気詰め箱１２とを含み、前記伸縮テーブルクロス１１は前記空気詰め箱１２に固定的に連結され、前記伸縮テーブルクロス１１と前記空気詰め箱１２との間には空気詰めチャンバ１０が設置され、前記空気詰め箱１２の中には制御チャンバ１３が設置され、前記制御チャンバ１３の中には制御装置１００が設置され、前記制御装置１００は手動制御機構１０２と、押し機構１０１とを含み、前記制御チャンバ１０２によって前記押し機構１０１を押して連動させて反応材料を押すことができ、前記制御チャンバ１３の中には反応装置２００が設置され、前記反応装置２００の中には装填機構２０１と、空気詰め機構２０２とを含み、前記装填機構２０１は前記制御チャンバ１３の後壁に固定的に設置された二組の空箱４２を含み、前記空箱４２の中には空チャンバ４３が設置され、前記空チャンバ４３の中には反応材料が配置され、前記空チャンバ４３の後壁の中にはバルブ４６が設置され、前記空チャンバ４３の底壁には連通し合った連通パイプ４４が固定的に設置され、前記連通パイプ４４の下端には押し箱２８が固定的に設置され、前記押し箱２８の中には前記連通パイプ４４と連通した押しチャンバ４５が設置され、前記押しチャンバ４５のうち互いに離れた内壁の中には押しロッド３６がスライド可能に設置され、前記押しチャンバ４５の中には前記押しロッド３６の対向した端に固定的に連結された押し板３０が設置され、前記押し板３０と前記押しチャンバ４５の内壁との間が第二ばね２９により固定的に連結され、
前記空気詰め機構２０２は空気詰めパイプ３４と、反応箱３２とを含み、前記反応箱３２が前記押し箱２８の対向した端の間に設置され、前記反応箱３２の中には前記押しチャンバ４５と連通した反応チャンバ３１が設置され、前記空気詰めパイプ４４の中には逆止弁３３が固定的に設置され、前記空気詰めパイプ３４と前記反応チャンバ３１とが連通しており、且つ前記空気詰めパイプ３４の一端が前記空気詰めチャンバ１０の中に伸びており、前記空気詰め箱１２には空気抜き装置３００が設置されている。
【００１５】
有益的には、前記制御装置１００は前記手動制御機構１０２と、前記押し機構１０１とを含み、前記手動制御機構１０２は前記制御チャンバ１３の頂壁にスライド可能に設置された第一連結ロッド１６を含み、前記第一連結ロッド１６が上に前記空気詰め箱１２の上側まで伸びており、前記第一連結ロッド１６の上端には押圧板１７が固定的に設置され、前記第一連結ロッド１６の下端には連結板１５が固定的に設置され、前記連結板１５の下端には第二連結ロッド１４が固定的に設置されている。
【００１６】
前記押し機構１０１は前記制御チャンバ１３の後壁に設置された上スライド溝３９を含み、前記上スライド溝３９の中には上スライドブロック４１がスライド可能に設置され、前記第二連結ロッド１４の下端と前記上スライドブロック４１とが固定的に連結され、前記上スライドブロック４１の下端面と前記上スライド溝３９の底壁との間が第一ばね４０により固定的に連結され、前記制御チャンバ１３の後壁には下スライド溝３５が設置され、前記下スライド溝３５の中には下スライドブロック３７がスライド可能に設置され、前記下スライドブロック３７と前記上スライドブロック４１との間にはヒンジ連結ロッド３８がヒンジで連結され、前記押しロッド３６のうち互いに離れた一端が前記下スライドブロック３７の対向した端面に固定的に連結されている。
【００１７】
有益的には、前記空気抜き装置３００は前記制御チャンバ１３の頂壁に固定的に設置された空気抜きパイプ２７を含み、前記空気抜きパイプ２７と前記空気詰めチャンバ１０が連通しており且つ前記空気抜きパイプ２７が上に開口しており、前記空気抜きパイプ２７の中には空気抜き板２５がスライド可能に設置され、前記空気抜き板２５の左端が前記制御チャンバ１３の中に伸びており、前記制御チャンバ１３の中には前記空気抜き板２５の左端に固定的に連結された連動ロッド２６が設置され、前記空気詰め箱１２の上端面にはスライド溝１９が設置され、前記スライド溝１９の中にはスライドブロック２１がスライド可能に設置され、前記連動ロッド２６の上端と前記スライドブロック２１の下端面とが固定的に連結され、前記スライドブロック２１の上端面には押しブロック２２が固定的に設置され、前記スライドブロック２１と前記スライド溝１９の左側内壁との間が第三ばね２０により固定的に連結され、前記空気詰め箱１２の上端面には誤操作防止機構３０１が設置されている。
【００１８】
前記誤操作防止機構３０１は前記空気詰め箱１２の上端面に固定的に設置された固定ブロック１８を含み、前記固定ブロック１８にはカバー板２３がヒンジで連結され、前記空気詰め箱１２の上端面にはカバー板溝２４が設置され、前記カバー板２３の下端が前記カバー板溝２４の中に挿入されている。
【００１９】
下記に、付図１〜２と上記の記載を合わせて本願発明の収納自動化のテーブルクロスを具体的に紹介する：
【００２０】
使用する時、押圧板１７を押し、第一連結ロッド１６と、連結板１５と、第二連結ロッド１４とによって上スライドブロック４１を下にスライドさせ、上スライドブロック４１がヒンジ連結ロッド３８によって下スライドブロック３７をスライド連動させ、下スライドブロック３７が押しロッド３６によって押し板３０をスライド連動させ、空チャンバ４３の中の反応材料が連通パイプ４４を経由して押しチャンバ４５の中に落ち、押圧板１７を放し、第二ばね２９が復帰し、押し板３０が反応材料を反応チャンバ３１の中に押して反応を起こして空気を抜き、気体が空気詰めパイプ３４を経由して空気詰めチャンバ１０の中に入って伸縮テーブルクロス１１を膨らませる。
【００２１】
収納する時カバー板２３を開き、押しブロック２２をスライドし、スライドブロック２１と、連動ロッド２６とによって空気抜き板２５をスライド連動させ、空気抜きパイプ２７を開けて空気を抜き、空気を抜き終えた後押しブロック２２を放し、第三ばね２０がスライドブロック２１を押して復帰させ、収納を完了する。
【００２２】
上記により、本装置は機構が簡単で、使用が便利で、使用する時、本装置は自動的に空気を詰めて開けられ、ピクニックの支度時間を大きく節約し、また伝統的なテーブルクロスより座り心地がよく、使用後に、空気抜きで自動的に収納でき、便利かつ迅速であり、使用者の手間を省く。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020171658.tif 000003
【図２】
2020171658.tif 000004
【図３】
2020171658.tif 000005
【図４】
2020171658.tif 000006